(57)【要約】【課題】  手に持って使用するときに取り外すことができる脚部、その脚部の取付構造、およびそれらを備えた携帯端末を提供する。【解決手段】  脚部３８は、ブリッジ形状をなして機器ケース１の一端部側に着脱可能に取り付けられ、機器ケース１の他端部側が載置面Ｔに載置された際に、載置面Ｔに接触して機器ケース１の一端部側を支持する。従って、手に持って使用するときに脚部３８を取り外すことができ、これにより脚部３８が邪魔にならず、機器ケース１を良好に握ることができる。また、脚部３８を機器ケース１に取り付けた際には、機器ケース１の形状に係わらず、載置面Ｔ上に機器ケース１を安定させた状態で良好に配置させることができる。【選択図】        図１７
2020077672.tif 000002
【特許請求の範囲】
【請求項１】
ブリッジ形状をなしてケースに着脱可能に取り付けられ、前記ケースの所定の面を載置面に向けて載置させた際に、前記載置面に接触して前記ケースを支持することを特徴とする脚部。
【請求項２】
請求項１に記載の脚部は、前記ケースの一端部側に着脱可能に取り付けられ、前記ケースの他端部側が載置面に載置された際に、前記載置面に接触して前記ケースの前記一端部側を支持することを特徴とする脚部。
【請求項３】
請求項１または請求項２に記載の脚部は、前記ケースにおける長手方向と直交する短手方向の両側に着脱可能に取り付けられる一対の支持片と、前記一対の支持片に梁渡されて、前記ケースが前記載置面に載置された際に、前記載置面に接触する梁部と、を備えていることを特徴とする脚部。
【請求項４】
請求項３に記載の脚部において、前記一対の支持片には、前記ケースに対して係脱可能に係合するフック部が設けられていることを特徴とする脚部。
【請求項５】
請求項３または請求項４に記載の脚部において、前記梁部には、前記載置面に対する滑りを防ぐ滑止め部が設けられていることを特徴とする脚部。
【請求項６】
ケースと、
ブリッジ形状をなして前記ケースに着脱可能に取り付けられ、前記ケースの所定の面を載置面に向けて載置させた際に、前記載置面に接触して前記ケースを支持する脚部と、
を備えていることを特徴とする脚部の取付構造。
【請求項７】
請求項６に記載の脚部の取付構造において、前記脚部は、前記ケースの一端部側に着脱可能に取り付けられ、前記ケースの他端部側が載置面に載置された際に、前記載置面に接触して前記ケースの前記一端部側を支持するを備えていることを特徴とする脚部の取付構造。
【請求項８】
請求項６または請求項７に記載の脚部の取付構造において、前記脚部は、前記ケースにおける長手方向と直交する短手方向の両側に着脱可能に取り付けられる一対の支持片と、前記一対の支持片に梁渡されて、前記ケースが前記載置面に載置された際に、前記載置面に接触する梁部と、を備えていることを特徴とする脚部の取付構造。
【請求項９】
請求項８に記載の脚部の取付構造において、前記脚部の前記梁部には、前記載置面に対する滑りを防ぐ滑止め部が設けられていることを特徴とする脚部の取付構造。
【請求項１０】
請求項６〜請求項９のいずれかに記載の脚部の取付構造において、前記ケースは、ユーザが一方の手で把握可能なグリップ部を備え、前記グリップ部の端部に前記脚部が前記グリップ部の頂上を跨いで着脱可能に取り付けられることを特徴とする脚部の取付構造。
【請求項１１】
請求項６〜請求項１０のいずれかに記載の脚部の取付構造において、前記ケースは、第１ケースと第２ケースとを備え、前記第１ケースと前記第２ケースとが複数のビスによって取り付けられる際の複数のビス穴に前記脚部が着脱可能に取り付けられることを特徴とする脚部の取付構造。
【請求項１２】
請求項１１に記載の脚部の取付構造において、前記ビス穴は、前記脚部が配置される前記ケースの一面と、前記一面に対して交差する前記ケースの他面とに、連通するストラップ孔を兼ねていることを特徴とする脚部の取付構造。
【請求項１３】
請求項１２に記載の脚部の取付構造において、前記脚部の前記一対の支持片それぞれには、前記支持片が前記ケースの前記一面側から前記ビス穴に差し込まれた際に、前記ケースの前記一面と交差する前記ケースの前記他面側に位置する前記ストラップ孔に係脱可能に係合するフック部が設けられていることを特徴とする脚部の取付構造。
【請求項１４】
請求項６〜請求項１３のいずれかに記載の脚部の取付構造において、前記脚部は、ハンドベルトが取り付けられるベルト取付部を兼ねていることを特徴とする脚部の取付構造。
【請求項１５】
請求項１４に記載の脚部の取付構造において、前記滑止め部は、前記ハンドベルトの長手方向と直交する短手方向の両側に配置されていることを特徴とする脚部の取付構造。
【請求項１６】
請求項６〜請求項１４のいずれかに記載された脚部の取付構造を備えていることを特徴とする携帯端末。
【発明の詳細な説明】
【技術分野】
【０００１】
この発明は、手に持って使用する電子機器に用いられる脚部、その脚部の取付構造、およびそれらを備えた携帯端末に関する。
【背景技術】
【０００２】
例えば、携帯電話などの電子機器においては、特許文献１に記載されているように、第１のケースと第２のケースとを開成した状態で、第２のケースを載置面上に配置したとき、第１のケースの結合部に近い端部の背面側と、第２のケースの背面側に設けられた突起とが、載置面に接触する構造のものが知られている。
【先行技術文献】
【特許文献】
【０００３】
【特許文献１】特開２００４−８７７９１号公報
【発明の概要】
【発明が解決しようとする課題】
【０００４】
しかしながら、このような電子機器では、第２のケースの背面側に突起が設けられているため、ユーザが手に持って使用する際に、ユーザの手の大きさなどによって突起が邪魔になり、良好に握ることができないという問題がある。
【０００５】
この発明が解決しようとする課題は、手に持って使用するときに取り外すことができる脚部、その脚部の取付構造、およびそれらを備えた携帯端末を提供することである。
【課題を解決するための手段】
【０００６】
この発明は、ブリッジ形状をなしてケースに着脱可能に取り付けられ、前記ケースの所定の面を載置面に向けて載置させた際に、前記載置面に接触して前記ケースを支持することを特徴とする脚部である。
【０００７】
また、この発明は、ケースと、ブリッジ形状をなして前記ケースに着脱可能に取り付けられ、前記ケースの所定の面を載置面に向けて載置させた際に、前記載置面に接触して前記ケースを支持する脚部と、を備えていることを特徴とする脚部の取付構造である。
【発明の効果】
【０００８】
この発明によれば、手に持って使用するときに取り外すことができる。
【図面の簡単な説明】
【０００９】
【図１】この発明を携帯端末に適用した一実施形態を示した正面図である。
【図２】図１に示された携帯端末の裏面図である。
【図３】図１に示された携帯端末を左側から見た側面図である。
【図４】図１に示された携帯端末のＡ−Ａ矢視における断面図である。
【図５】図２に示された携帯端末において電池蓋を取り外した状態を示した裏面図である。
【図６】図１に示された携帯端末のＢ−Ｂ矢視における要部の拡大断面図である。
【図７】図６に示された側面トリガーキーの接点部材を接点電極側から見た拡大斜視図である。
【図８】図６に示された側面トリガーキーの接点部材を端子電極側から見た拡大斜視図である。
【図９】図６に示された側面トリガーキーを組み立てる状態を示した要部の分解斜視図である。
【図１０】図９に示された側面トリガーキーにおいて、接点部材を弾性部材に向けて徐々に移動させて重ね合わせる状態を原理的に示し、（ａ）は接点部材のスライド開始時を示した図、（ｂ）は接点部材のスライド途中を示した図、（ｃ）は接点部材のスライド終了時を示した図、（ｄ）は接点部材のスライド長さｘと弾性部材に対する接点部材の移動長さａとの関係を示した図である。
【図１１】図２に示された携帯端末のグリップ部のＣ−Ｃ矢視において破断して示した要部の拡大斜視図である。
【図１２】図２に示された携帯端末のグリップ部のＤ−Ｄ矢視における要部を示した拡大断面図である。
【図１３】図２に示されたグリップ部の電池蓋を示し、（ａ）は電池蓋を外部側から見た拡大斜視図、（ｂ）は電池蓋を内面側から見た拡大斜視図である。
【図１４】図２に示された携帯端末のＥ−Ｅ矢視における要部の拡大断面図である。
【図１５】図１４に示された脚部を示し、（ａ）はその拡大斜視図、（ｂ）はその拡大正面図である。
【図１６】図３に示された携帯端末を卓上などの載置面上に配置させた状態を示した側面図である。
【図１７】図３に示された携帯端末からハンドベルトを取り外して、下部ケースを卓上などの載置面上に配置させた状態を示した側面図である。
【図１８】図３に示された携帯端末からハンドベルトおよび脚部を取り外して、下部ケースを卓上などの載置面上に配置させた状態を示した側面図である。
【図１９】図１４に示された脚部の変形例を示し、（ａ）はその拡大斜視図、（ｂ）はその拡大正面図である。
【発明を実施するための形態】
【００１０】
以下、図１〜図１８を参照して、この発明を適用した携帯端末の一実施形態について説明する。
この携帯端末は、図１〜図３に示すように、端末本体である機器ケース１を備えている。この機器ケース１は、縦方向（図１では上下方向）に長い縦長のほぼ長方形状に形成されている。
【００１１】
この機器ケース１は、図１〜図３に示すように、上辺側のほぼ半分が幅広部１ａに形成され、下辺側のほぼ半分が幅狭部１ｂに形成され、全体がほぼ羽子板形状に形成されている。すなわち、上辺側の幅広部１ａは、その縦方向と直交する横方向（図１では左右方向）の長さ（幅）が、下辺側の幅狭部１ｂの横方向（図１では左右方向）の長さ（幅）よりも長く（広く）形成されている。
【００１２】
また、この機器ケース１は、図１〜図５に示すように、上部ケース２と下部ケース３とを有し、これらの内部にモジュール（図示せず）が組み込まれるように構成されている。上部ケース２は、図１および図３に示すように、機器ケース１と同様、上辺側の幅広部と下辺側の幅狭部とを有するほぼ羽子板形状に形成され、その外周の側面部が下部ケース３に取り付けられるように構成されている。
【００１３】
この場合、上部ケース２の上面である表面における上辺側の幅広部には、図１および図４に示すように、そのほぼ全域に亘って表示部４が設けられている。また、上部ケース２の表面における下辺側の幅狭部には、そのほぼ全域に亘ってキー操作部５が設けられている。表示部４は、液晶表示パネルやＥＬ（エレクトロ・ルミネッセンス）表示パネルなどの平面型の表示パネルであり、ほぼ長方形状に形成されている。
【００１４】
この表示部４は、図１および図４に示すように、上部ケース２の表面に設けられた表示窓部４ａに対応した状態で上部ケース２内に配置され、表示された情報が表示窓部４ａを通して上部ケース２の上方から見えるように構成されている。キー操作部５は、テンキー、カーソルキー、ファンクションキーなどの携帯端末に必要な各種のキーを備えている。この場合、キー操作部５は、その上辺の中間部に上面トリガーキー５ａが配置されている。
【００１５】
また、この上部ケース２は、図３および図４に示すように、上辺側の幅広部の上面である表面に対して下辺側の幅狭部の上面である表面が上辺側から下辺側に向けて少し下る方向に傾斜した形状に形成されている。すなわち、この上部ケース２は、上辺側の表示部４の表示面の延長線に対して下辺側のキー操作部５側が少し下るように傾斜した形状に形成されている。これにより、上部ケース２は、ユーザがキー操作部５を操作する際に、表示部４が見やすくなるようになっている。
【００１６】
下部ケース３は、図２〜図５に示すように、上部ケース２と同様、上辺側の幅広部と下辺側の幅狭部とを有するほぼ羽子板形状に形成され、その外周の側面部が上部ケース２に取り付けられるように構成されている。この下部ケース３の上辺部側に位置する幅広部の下面である裏面には、光学読取部６が設けられている。
【００１７】
この光学読取部６は、図２〜図５に示すように、レーザ読取部７と撮像部８とを備え、これらが下部ケース３の幅広部における上辺部側に位置する裏面に箱型形状に突出して設けられた配置部である光学収納部１０内に格納されている。この光学収納部１０は、裏面における上辺側の第１面１０ａと、裏面における下辺側の第２面１０ｂと、これらの境界に位置する境界部１０ｃと、を備えている。
【００１８】
この場合、上辺側の第１面１０ａは、図２〜図５に示すように、境界部１０ｃから上辺側に向けて大きく傾斜する傾斜面に形成されている。下辺側の第２面１０ｂは、境界部１０ｃから下辺側に向け緩やかに傾斜する傾斜面に形成されている。すなわち、下辺側の第２面１０ｂは、上辺側の第１面１０ａよりも傾斜角度が小さく、上部ケース２の表示部４の表示面とほぼ平行に形成された平坦領域である。
【００１９】
また、上辺側の第１面１０ａには、図２〜図５に示すように、光学収納部１０内に設けられたレーザ読取部７が対応する第１窓部１０ｄが設けられている。下辺側の第２面１０ｂには、光学収納部１０内に設けられた撮像部８が対応する第２窓部１０ｅが設けられている。
【００２０】
また、下辺側の第２面１０ｂには、図２に示すように、マイクロホン用の集音孔１０ｆまたはスピーカ用の放音孔の何れか第２窓部１０ｅの領域外に設けられている。この場合、第２面１０ｂには、図１７および図１８に示すように、下部ケース３が卓上などの載置面Ｔ上に配置された際に、載置面Ｔに接触しない非接触部である基準部が集音孔１０ｆまたは放音孔を含む領域に設けられている。
【００２１】
これにより、光学読取部６は、図２〜図５に示すように、レーザ読取部７がレーザ光線を光学収納部１０の第１面１０ａの第１窓部１０ｄから機器ケース１の外部に出射させ、そのレーザ光線の反射光を受光することにより、物品のバーコードなどを読み取るように構成されている。また、この光学読取部６は、撮像部８が第２面１０ｂの第２窓部１０ｅを通してレーザ読取部７で読み取る物品の画像を撮影するように構成されている。
【００２２】
また、機器ケース１の縦方向（長手方向）におけるほぼ中間部、つまり幅広部１ａと幅狭部１ｂとの境界部側に位置する幅広部１ａの両側部には、図１〜図４に示すように、後述する側面トリガーキー１１がそれぞれ設けられている。これら側面トリガーキー１１およびキー操作部５の上面トリガーキー５ａは、光学読取部６による読取動作を実行させるためのものである。
【００２３】
さらに、この機器ケース１の下辺部側に位置する幅狭部１ｂには、図２〜図５に示すように、電池蓋１２で覆われる電池収納部１３がキー操作部５に対応して設けられている。この電池収納部１３は、充電池（図示せず）を収納するものであり、機器ケース１の幅狭部１ｂに設けられたキー操作部５に対応した状態で、機器ケース１の幅狭部１ｂの内部に設けられ、機器ケース１の裏面に設けられた開口部１３ａによって裏面側に開放されている。
【００２４】
電池蓋１２は、図４および図１２に示すように、その下辺部側の端部に支点突起部１２ａが設けられている。この支点突起部１２ａは、電池収納部１３内に位置する下部ケース３の内部に設けられた係止部３ｂに着脱可能に挿入されて係止される構造になっている。これにより、電池蓋１２は、下部ケース３の係止部３ｂに係止された支点突起部１２ａを支点として回転することにより、電池収納部１３を開閉するように構成されている。
【００２５】
この場合、電池収納部１３と光学読取部６との間に位置する下部ケース３の裏面には、図２および図４に示すように、電池収納部１３の開口部１３ａを塞いだ電池蓋１２を下部ケース３に着脱可能に固定するための一対の取付レバー１４が設けられている。すなわち、一対の取付レバー１４は、機器ケース１の両側部に設けられた側面トリガーキー１１の近傍に設けられている。
【００２６】
これら一対の取付レバー１４は、図２〜図５に示すように、これらを回転操作させて、電池蓋１２の上辺部の縁部を下部ケース３の裏面に係脱可能に係止させるように構成されている。これにより、電池蓋１２は、電池収納部１３の開口部１３ａを開閉可能に覆った状態で、上辺部の縁部が一対の取付レバー１４によって係止されることにより、キー操作部５と対応した状態で、下部ケース３の裏面に取り付けられるように構成されている。
【００２７】
ところで、機器ケース１の下辺部側に位置する幅狭部１ｂには、図１〜図３に示すように、機器ケース１の第１の面である表面と、その反対側に位置する第２の面である裏面とに跨ってユーザの一方の手により把握可能なグリップ部１５が設けられている。このグリップ部１５は、ユーザの一方の手の母指Ｆ１を機器ケース１の表面に被せ機器ケース１の脇側から延ばした他の指Ｆ２〜Ｆ５で機器ケース１の裏面を支えるような把握態様で、ユーザの一方の手により把握可能に構成されている。
【００２８】
すなわち、このグリップ部１５は、図１〜図３に示すように、機器ケース１の幅狭部１ｂである上部ケース２の幅狭部と、下部ケース３の幅狭部と、下部ケース３の電池蓋１２と、で構成されている。この場合、グリップ部１５における上部ケース２の幅狭部と下部ケース３の幅狭部との各側面部は、ユーザがグリップ部１５を上述した把握態様で把握する手を自然に湾曲させる円弧状の湾曲面に形成されている。また、下部ケース３の電池蓋１２は、下部ケース３の両側部から裏面側に向けて緩やかに湾曲して突出する湾曲形状に形成されている。
【００２９】
これにより、グリップ部１５は、図１〜図３に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様のときに、ユーザの他の指Ｆ２〜Ｆ５が機器ケース１の裏面に自然に曲がって巻き付くような形状に形成されている。
【００３０】
このため、グリップ部１５は、図１〜図３に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様でユーザが一方の手で機器ケース１を保持した際に、ユーザの把握手がフィットすることにより、ユーザの手の大きさに係わらず、ユーザが片手で握り易い形状に形成されている。
【００３１】
また、このグリップ部１５のうち、裏面に位置する電池蓋１２には、図２〜図４に示すように、ユーザが母指Ｆ１を機器ケース１の表面に被せ機器ケース１の脇側から延ばした他の指Ｆ２〜Ｆ５で機器ケース１の裏面を支えるような把握態様でユーザが一方の手で機器ケース１を保持した際に、ユーザが把握する手の示指Ｆ２と中指Ｆ３との間に膨らみを持たせる形状に盛り上がる指掛突起部１６が設けられている。
【００３２】
この場合、機器ケース１の裏面には、図２〜図４に示すように、えぐれ部１７がグリップ部１５とこのグリップ部１５の延長上に位置する機器ケース１の他端部側との間に窪んで設けられている。すなわち、このえぐれ部１７は、電池蓋１２の指掛突起部１６と光学読取部６の光学収納部１０との間に窪んだ状態で設けられている。
【００３３】
指掛突起部１６は、図２〜図４に示すように、ユーザがキー操作部５を母指Ｆ１で操作すべく、ユーザが母指Ｆ１を機器ケース１の脇側から延ばした他の指Ｆ２〜Ｆ５で機器ケース１の裏面を支えるような把握態様でユーザが一方の手でグリップ部１５を保持した際に、ユーザが把握する手の示指Ｆ２と中指Ｆ３との間に位置する山形状の頭頂部１６ａを有している。この頭頂部１６ａは、ユーザが把握する手の示指Ｆ２と中指Ｆ３との間に位置して、示指Ｆ２と中指Ｆ３との屈曲形状に沿って湾曲状に連続するように形成されている。
【００３４】
すなわち、この頭頂部１６ａは、図２〜図４に示すように、機器ケース１の長手方向と直交する横方向に示指Ｆ２と中指Ｆ３との屈曲形状に沿って湾曲状に連続すると共に、その連続する横方向における中間部が機器ケース１の厚み方向における裏面側に向けて最も大きく突出し、横方向の中間部から横方向の両側に向かうに従って次第に突出長さが小さくなるように形成されている。また、この指掛突起部１６は、頭頂部１６ａの一方側の裾野である第１の指掛領域１８と、頭頂部１６ａの他方側の裾野である第２の指掛領域１９と、を備えている。
【００３５】
第１の指掛領域１８は、図２〜図４に示すように、ユーザが上述した把握態様でグリップ部１５を把握した際に、示指Ｆ２が押し当てられる第１傾斜面であり、電池蓋１２の上辺部側から頭頂部１６ａに向けて急な傾斜面に形成されている。第２の指掛領域１９は、ユーザが上述した把握態様でグリップ部１５を把握した際に、中指Ｆ３〜小指Ｆ５が押し当てられる第２傾斜面であり、頭頂部１６ａから電池蓋１２の下辺側に向けて緩やかに傾斜する傾斜面に形成されている。
【００３６】
すなわち、第１の指掛領域１８は、図２〜図４に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様のときに、ユーザが把握する手の示指Ｆ２の腹が電池蓋１２の縦方向（長手方向）における下辺部側、つまりユーザが把握する手側に向けて押し当てられて配置されるような傾斜面に形成されている。
【００３７】
この第１の指掛領域１８は、図２〜図４に示すように、グリップ部１５側に位置するえぐれ部１７の傾斜面でもあり、電池蓋１２の上辺側に位置する上辺側から頭頂部１６ａに向けて急な角度で立ち上る傾斜面に形成されている。また、この第１の指掛領域１８は、機器ケース１の縦方向（長手方向）と直交する横方向に連続する頭頂部１６ａに沿って示指Ｆ２の屈曲状態に対応する円弧状に湾曲して形成されている。
【００３８】
このため、この指掛突起部１６は、図２〜図４に示すように、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１５を握った際に、ユーザの示指Ｆ２が第１の指掛領域１８の湾曲に沿って屈曲した形状で、その示指Ｆ２の腹が第１の指掛領域１８に押し当てられ、この状態で第１の指掛領域１８を機器ケース１の縦方向における下辺部側、つまりユーザが把握する手側に向けて引き寄せるように構成されている。
【００３９】
一方、第２の指掛領域１９は、図２〜図４に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１５を把握するときに、ユーザが把握する手の指Ｆ３〜Ｆ５の各腹がグリップ部１５の電池蓋１２を機器ケース１に向けて押し当てて、ユーザの中指Ｆ３〜小指Ｆ５が並んだ状態で自然に曲がるような湾曲面に形成されている。
【００４０】
すなわち、この第２の指掛領域１９は、図２〜図４に示すように、頭頂部１６ａから電池蓋１２の下辺側に向けて緩やかに傾斜する湾曲面に形成されている。これにより、この第２の指掛領域１９は、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１５を把握するときに、示指Ｆ２以外の指Ｆ３〜Ｆ５が並んで自然な状態で曲がるように、電池蓋１２の裏面側に向けて凸となる緩やかな湾曲形状に形成されている。
【００４１】
さらに、この機器ケース１は、図１〜図５に示すように、グリップ部１５が機器ケース１の横方向における中心位置を軸にして左右対称な形状で形成されている。これにより、この機器ケース１は、ユーザがグリップ部１５を握る際に、ユーザが右手でも、また左手でも、同じように握れるように構成されている。
【００４２】
また、この機器ケース１の下部ケース３における電池蓋１２の上辺部に接近する箇所、つまり電池蓋１２の上辺部に接近する箇所のえぐれ部１７には、図２〜図５に示すように、下面トリガーキー２０が設けられている。この下面トリガーキー２０は、キー操作部５の上面トリガーキー５ａおよび側面トリガーキー１１と同様、光学読取部６による読取動作を実行させるためのスイッチ部である。
【００４３】
この下面トリガーキー２０は、図２〜図４に示すように、ユーザが一方の手でグリップ部１５を上述した把握態様で把握した際に、ユーザが把握した手の示指Ｆ２がグリップ部１５の指掛突起部１６における第１の指掛領域１８との間に配置される間隔を持って設けられている。
【００４４】
この下面トリガーキー２０は、図４に示すように、釦部２０ａと弾性シート２０ｂとスイッチ基板２０ｃとを備え、これらが下部ケース３の内面に押し付けられた状態で取り付けられている。釦部２０ａは、下部ケース３に設けられた釦孔３ａに下部ケース３の内部側から外部側に向けて挿入されている。
【００４５】
この釦部２０ａは、図３および図４に示すように、下部ケース３の釦孔３ａから外部に突出した部分が、グリップ部１５の指掛突起部１６側の一端部が高く、指掛突起部１６と反対側の他端部に向けて次第に低くなるように傾斜した構造で、指掛突起部１６における第１の指掛領域１８の傾斜とほぼ同じ傾斜で形成されている。
【００４６】
この場合、釦部２０ａは、図３および図４に示すように、下部ケース３の釦孔３ａから下部ケース３の外部に突出した高さが、グリップ部１５の指掛突起部１６の頭頂部１６ａの高さよりも低く、例えば指掛突起部１６の第１の指掛領域１８の高さの1/2程度と低く形成されている。このため、釦部２０ａは、図１６〜図１８に示すように、機器ケース１を載置面Ｔ上に配置させた際に、載置面Ｔに接触せずに、載置面Ｔから上方に離れて配置されるように構成されている。
【００４７】
これにより、下面トリガーキー２０は、図３および図４に示すように、ユーザがグリップ部１５を把握した手の示指Ｆ２によって釦部２０ａが押されると、この釦部２０ａが弾性シート２０ｂの膨出部を弾性変形させて弾性シート２０ｂの可動接点がスイッチ基板２０ｃの固定接点に接触することにより、スイッチ信号を出力するように構成されている。
【００４８】
ところで、機器ケース１の両側部に設けられた側面トリガーキー１１は、左右同じ構造である。このため、以下の説明は、機器ケース１の左側の側面に設けられた側面トリガーキー１１について説明する。この左側の側面トリガーキー１１は、図２および図３に示すように、グリップ部１５の近傍に位置する機器ケース１の幅広部１ａの左側面に釦部２２が露出して設けられている。
【００４９】
すなわち、この側面トリガーキー１１は、図１〜図３に示すように、機器ケース１の幅広部１ａにおける上面である表面に設けられた表示部４の下辺部側の左側に配置されている。この場合、側面トリガーキー１１の釦部２２は、機器ケース１の長手方向に沿って長いほぼ長方形状に形成されている。この釦部２２は、機器ケース１の表面を基準面として、この基準面に対する機器ケース１の厚み方向の距離が、グリップ部１５側から離れるに従って次第に長くなるように傾斜した状態で配置されている。
【００５０】
言い換えれば、この釦部２２は、図３に示すように、グリップ部１５側に位置する一端部における機器ケース１の基準面までの距離が、グリップ部１５と反対側に位置する光学読取部６側の他端部における機器ケース１の基準面までの距離よりも短くなるように、傾斜した状態で配置されている。このため、釦部２２は、その長手方向に沿う中心線が機器ケース１の基準面である表面に対して所定の傾斜角度で傾斜して設けられている。
【００５１】
これにより、左側の側面トリガーキー１１は、図３に示すように、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１５を第１の握り方で握り、ユーザの示指Ｆ２を第１の指掛領域１８に押し当てた状態で、この押し当てた示指Ｆ２を第１の指掛領域１８から離して伸ばした際に、示指Ｆ２が左側の釦部２２に配置されるように構成されている。
【００５２】
また、この左側の側面トリガーキー１１は、図３に示すように、グリップ部１５の上面である表面に設けられたキー操作部５をユーザが右手の掌で被せるように、ユーザが母指Ｆ１をグリップ部１５の右側の側面に配置させ、他の指Ｆ２〜Ｆ５をグリップ部１５の右側の脇からグリップ部１５の裏面に巻き付けるように配置させた第２の握り方でグリップ部１５を握った際に、機器ケース１の右側の側面に配置されたユーザの示指Ｆ２が左側の釦部２２に傾きをもって配置されるように構成されている。
【００５３】
これにより、左側の側面トリガーキー１１の釦部２２は、図３に示すように、グリップ部１５の上面である表面に設けられたキー操作部５をユーザが右手の掌で被せるように、ユーザが母指Ｆ１をグリップ部１５の左側の側面に配置させ、他の指Ｆ２〜Ｆ５をグリップ部１５の右側の脇からグリップ部１５の裏面に巻き付けるように配置させた第２の握り方でグリップ部１５を握った際に、機器ケース１の右側の側面に配置されたユーザの示指Ｆ２が自然な状態で左側の釦部２２に配置されるように構成されている。
【００５４】
一方、右側の側面トリガーキー１１は、図２に示すように、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１５を第１の握り方で握った状態で、母指Ｆ１を機器ケース１の側面に移動させた際に、その移動した母指Ｆ１が右側の釦部２２に配置されるように構成されている。
【００５５】
また、この右側の側面トリガーキー１１は、図２に示すように、グリップ部１５の上面である表面に設けられたキー操作部５をユーザが右手の掌で被せるように、ユーザが母指Ｆ１をグリップ部１５の左側の側面に配置させ、他の指Ｆ２〜Ｆ５をグリップ部１５の右側の脇からグリップ部１５の裏面に巻き付けるように配置された第２の握り方でグリップ部１５を握った際に、機器ケース１の左側の側面に配置されたユーザの母指Ｆ１が自然な状態で右側の釦部２２上に配置されるように構成されている。
【００５６】
ところで、機器ケース１の左右両側に設けられた側面トリガーキー１１は、図６〜図９に示すように、釦部２２と弾性部材２３と接点部材２４と一対のガイド部２５とを備えている。釦部２２は、機器ケース１の前後方向に長い長方形のキャップ状の釦本体２２ａと、この釦本体２２ａ内に配列された複数の押圧部２２ｂとを有し、釦本体２２ａが下部ケース３の側面において所定の傾斜角度で傾斜した状態で設けられた細長い釦挿入孔２６に出没可能に挿入されて配置されている。
【００５７】
この場合、釦本体２２ａは、図６に示すように、下部ケース３の内部側に位置する外周部に鍔部２２ｃが環状に設けられている。これにより、釦本体２２ａは、下部ケース３の内部から下部ケース３の釦挿入孔２６内に挿入された際に、下部ケース３の側面において所定の傾斜角度で傾斜して配置された状態で、鍔部２２ａが下部ケース３の釦挿入孔２６の内周縁に当接して、釦本体２２ａが下部ケース３から外部に抜け出さないようになっている。
【００５８】
弾性部材２３は、図６に示すように、ウレタンゴムやシリコーンゴムなどの弾性シートであり、釦部２２の外形よりも少し大きい長方形状に形成され、釦部２２に取り付けられた状態で、下部ケース３の内面に配置されるように構成されている。すなわち、この弾性部材２３は、弾性シートの中央部にドーム状の膨出部２３ａが下部ケース３の側面において所定の傾斜角度で傾斜した状態で釦部２２の複数の押圧部２２ｂに向けて突出して形成されている。この膨出部２３ａの内部には、複数の可動接点２３ｂが複数の押圧部２２ｂに対応して設けられている。
【００５９】
また、この弾性部材２３は、図６に示すように、その外周部が釦本体２２ａの外周に接着によって取り付けられている。これにより、弾性部材２３は、膨出部２３ａに釦部２２の複数の押圧部２２ｂが食い込んで、釦部２２に接着によって取り付けられた状態で、釦部２２と共に下部ケース３の内面に配置されるように構成されている。
【００６０】
接点部材２４は、図６〜図８に示すように、弾性部材２３の内面に重なり合って弾性部材２３を下部ケース３の内面に押し当てて固定するように構成されている。すなわち、この接点部材２４は、弾性部材２３の内面に対応する接点本体部２７と、この接点本体部２７における弾性部材２３と反対側の面に設けた端子配置部２８と、を備えている。
【００６１】
接点本体部２７は、図６および図７に示すように、弾性部材２３とほぼ同じ大きさの板状に形成されている。この接点本体部２７における弾性部材２３に対面する外面には、櫛歯状の一対の接点電極２７ａが弾性部材２３の複数の可動接点２３ｂに対応した状態で、下部ケース３の側面において所定の傾斜角度で傾斜して設けられている。
【００６２】
この櫛歯状の一対の接点電極２７ａは、図６および図７に示すように、弾性部材２３の複数の可動接点２３ｂのいずれか、または全部が接離可能に接触することにより、導通する構造になっている。この場合、接点本体部２７の上辺部と両側部とには、弾性部材２３の上辺部と両側部とを覆うカバー部２７ｂが設けられている。
【００６３】
端子配置部２８は、図６〜図８に示すように、接点本体部２７を補強する補強リブを兼ねるものであり、接点本体部２７における弾性部材２３と反対側の内面に機器ケース１の内部側に向けて突出して設けられている。この端子配置部２８の上面には、一対の端子電極２８ａが設けられている。これら一対の端子電極２８ａは、接点本体部２７に設けられた一対の接点電極２７ａとスールホール２８ｂを介して電気的に接続されている。
【００６４】
また、この端子配置部２８上には、図６に示すように、機器ケース１内に設けられた回路基板３０の端部が配置されるようになっている。このため、一対の端子電極２８ａは、回路基板３０の端部における下面に設けられた一対の接続端子３０ａにそれぞればね部材３０ｂによって電気的に接続されている。これにより、接点部材２４は、接点本体部２７の一対の接点電極２７ａが端子配置部２８の一対の端子電極２８ａを介して回路基板３０と電気的に接続されている。
【００６５】
一対のガイド部２５は、図８および図９に示すように、弾性部材２３の両側に位置する下部ケース３内にそれぞれ起立して設けられた一対のガイドレール３１と、接点部材２４の両側にそれぞれ設けられた一対のスライド部３２と、を備えている。これら一対のガイド部２５は、図１０（ａ）〜図１０（ｄ）の原理図に示すように、一対のガイドレール３１が一対のスライド部３２をガイドして接点部材２４の接点本体部２７を弾性部材２３に徐々に接近させて重ね合わせて押し当てるように構成されている。
【００６６】
一対のガイドレール３１それぞれは、図９に示すように、下部ケース３の底部に垂直（９０°の角度）に起立して設けられているが、図１０（ａ）〜図１０（ｄ）の原理図では、説明の便宜上、ガイドレール３１が傾いた状態で設けられている。また、一対のスライド部３２それぞれは、図８に示すように、接点部材２４の両側部にそれぞれ設けられ、ガイドレール３１を挟んだ状態でガイドレール３１に沿って垂直方向にスライドするように構成されている。
【００６７】
この場合、弾性部材２３は、釦部２２に取り付けられて下部ケース３内に配置された際に、接点本体部２７に対面する弾性部材２３の対向面とガイドレール３１との間隔が上部側から下部側に向けて次第に狭くなる傾斜角、つまり金型の抜き方向に対して約４°の抜き勾配で傾斜した状態で、下部ケース３内に配置されている。ただし、図１０（ａ）〜図１０（ｄ）の原理図では、説明の便宜上、弾性部材２３が垂直な状態で配置されている。
【００６８】
また、接点本体部２７は、一対の接点電極２７ａが設けられた電極面が弾性部材２３の対向面と同じ傾斜角で平行になるように、一対のガイドレール３１に対し傾斜して設けられている。この場合にも、図１０（ａ）〜図１０（ｄ）の原理図では、説明の便宜上、接点本体部２７が垂直な状態で配置されている。
【００６９】
これにより、一対のガイドレール３１は、図７〜図９に示すように、接点部材２４に設けられた一対のスライド部３２をガイドする際におけるガイド開始時には図１０（ａ）および図１０（ｄ）の原理図に示すように接点本体部２７の電極面が弾性部材２３の対向面に対向して面方向にずれた状態で、弾性部材２３の対向面と接点本体部２７の電極面との間にクリアランスａをもって配置されるように構成されている。
【００７０】
また、一対のガイドレール３１は、図７〜図９に示すように、一対のスライド部３２をガイドしてスライドさせた際におけるスライド途中では図１０（ｂ）および図１０（ｄ）の原理図に示すように接点本体部２７が弾性部材２３に徐々に接近する方向に移動して、弾性部材２３の対向面と接点本体部２７の電極面との間のクリアランスａが徐々に狭くなるように構成されている。
【００７１】
さらに、一対のガイドレール３１は、図６〜図９に示すように、一対のスライド部３２をガイドしてスライドさせて接点部材２４が下部ケース３の底部に到達した際におけるスライド終了時には図１０（ｃ）および図１０（ｄ）の原理図に示すように弾性部材２３の対向面と接点本体部２７の電極面とが対面して重なり合った状態で押し当てられて圧接するように構成されている。
【００７２】
このように、この接点部材２４は、図６〜図１０に示すように、一対のガイド部２５の一対のガイドレール３１によって一対のスライド部３２をガイドして、接点部材２４の接点本体部２７を弾性部材２３に重ね合わせる際に、一対のガイドレール３１による一対のスライド部３２のスライドに伴って、弾性部材２３の対向面と接点本体部２７の電極面との間にクリアランスａをもって、接点本体部２７の電極面をこれに対向する弾性部材２３の対向面に徐々に接近移動させ、スライド終了時に接点本体部２７の電極面を弾性部材２３の対向面に対面させて重ね合わせた状態で押し当てて圧接させるように構成されている。
【００７３】
この場合、接点部材２４は、図６および図９に示すように、接点本体部２７が弾性部材２３に押し当てられて圧接された際に、接点本体部２７の一対の接点電極２７ａが弾性部材２３の複数の可動接点２３ｂに対応した状態で、接点本体部２７のカバー部２７ｂが弾性部材２３の弾力によって下部ケース３の内面に押し当てられて固定される。
【００７４】
これにより、側面トリガーキー１１は、図６に示すように、釦部２２が押されると、釦部２２の複数の押圧部２２ｂが弾性部材２３の膨出部２３ａを押圧して弾性変形させて、この弾性変形した膨出部２３ａ内の複数の可動接点２３ｂのいずれか、または全部が接点部材２４の接点本体部２７に設けられた櫛歯状の一対の接点電極２７ａに接触して一対の接点電極２７ａを導通させることにより、スイッチ信号を回路基板３０に出力するように構成されている。
【００７５】
ところで、機器ケース１は、図３に示すように、グリップ部１５の下辺側の端部が裏面側（図３では左側）に向けて突出すように傾斜する傾斜部１５ａが下部ケース３に設けられた構造になっている。この下部ケース３に設けられた電池収納部１３の開口部１３ａは、図１０および図１１に示すように、下部ケース３の下辺側の傾斜部１５ａから下部ケース３の上辺側における一対の取付レバー１４の近傍に亘って設けられている。
【００７６】
この開口部１３ａの周囲には、図５、図１１、図１２に示すように、圧接枠である外枠１３ｂが全周に亘って枠状に設けられている。すなわち、この外枠１３ｂは、下部ケース３の傾斜部１５ａから下部ケース３における一対の取付レバー１４の近傍に亘って設けられて、開口部１３ａの外周を囲うように構成されている。
【００７７】
また、この外枠１３ｂは、図５、図１１、図１２に示すように、電池蓋１２の支点突起部１２ａが挿入する下部ケース３の係止部３ｂから離れた上辺部が係止部３ｂから離れる方向に向けて緩やかに突出して湾曲する形状に形成されている。これにより、外枠１３ｂは、全体が五角形に近い形状に形成されている。
【００７８】
この電池収納部１３の開口部１３ａを塞ぐ電池蓋１２は、図１２〜図１４に示すように、その外形が電池収納部１３の開口部１３ａよりも大きく、かつ下部ケース３の外面と同じ大きさで形成され、外周縁が下部ケース３の外面と一致するように形成されている。この電池蓋１２の内面には、電池収納部１３の開口部１３ａの周囲に設けられた外枠１３ｂの内周に沿ってパッキン部３３が設けられている。
【００７９】
このパッキン部３３は、図１１〜図１４に示すように、電池蓋１２に設けられた支持枠である内枠３３ａと、この内枠３３ａにこれを覆って一体に設けられたパッキンゴム３３ｂと、を備え、これらが電池蓋１２の支点突起部１２ａに近づくにつれて電池蓋１２の内部側に向けて傾斜するように設けられた構造になっている。この場合、支持枠である内枠３３ａは、下部ケース３の外枠１３ｂの内周に沿って電池蓋１２の内面に枠状に設けられている。
【００８０】
すなわち、この内枠３３ａは、図１２〜図１４に示すように、外枠１３ｂと同様、下部ケース３の傾斜部１５ａから下部ケース３の上辺側における一対の取付レバー１４の近傍に亘って電池蓋１２の内面に設けられている。また、この内枠３３ａも、外枠１３ｂと同様、電池蓋１２の支点突起部１２ａから離れた上辺部が支点突起部１２ａから離れる方向に向けて緩やかに突出して湾曲する形状に形成されている。これにより、内枠３３ａも、外枠１３ｂと同様、全体が五角形に近い形状に形成されている。
【００８１】
パッキンゴム３３ｂは、図１２〜図１４に示すように、シリコーンゴムやウレタンゴムなどの弾性材料で、好ましくはシリコーンゴムで形成されている。このパッキンゴム３３ｂは、インサート成型によって電池蓋１２の内枠３３ａの全周にこれを覆った状態で一体に形成されている。また、このパッキンゴム３３ｂは、内枠３３ａの先端部における外側が円弧状に突出して形成されている。
【００８２】
これにより、パッキン部３３は、図１１〜図１４に示すように、電池蓋１２の支点突起部１２ａを電池収納部１３の下辺部に設けられた係止部３ｂに係止させ、この係止された支点突起部１２ａを中心に電池蓋１２を回転させて電池収納部１３の開口部１３ａを塞いだ際に、内枠３３ａの外面が開口部１３ａの外枠１３ｂの内面に対面した状態で、内枠３３ａの先端部に円弧状に突出したパッキン部３３が外枠１３ｂの内面に圧接することにより、開口部１３ａの防水を図るように構成されている。
【００８３】
この場合、パッキン部３３は、図１１〜図１４に示すように、パッキン部３３が電池蓋１２の支点突起部１２ａに近づくにつれて電池蓋１２の内部側に向けて傾斜していることにより、支点突起部１２ａを中心に電池蓋１２が回転して電池収納部１３の開口部１３ａを塞ぐ際に、電池蓋１２が回転するに従い、電池収納部１３の開口部１３ａの周囲に設けられた外枠１３ｂの内面に対するパッキンゴム３３ｂの密接部分が増加するにつれて密接抵抗も増加し、電池蓋１２の操作荷重が徐々に重くなることにより、電池蓋１２の開閉操作を向上させるように構成されている。
【００８４】
また、機器ケース１のグリップ部１５における下辺側の傾斜部１５ａの端部には、図２および図１４に示すように、上部ケース２と下部ケース３とを複数のビス３４によって取り付けるための複数のビス穴３５が設けられている。すなわち、複数のビス穴３５は、ビス３４の頭部３４ａが挿入する穴であり、下部ケース３の傾斜部１５ａの端部におけるグリップ部１５の長手方向と直交する短手方向（幅方向）の両側に設けられている。
【００８５】
複数のビス３４は、図１４に示すように、頭部３４ａとねじ部３４ｂとを有し、頭部３４ａがビス穴３５に挿入された状態で、ねじ部３４ｂが上部ケース２内に設けられたボス部３６のねじ穴に３６ａに螺合するように構成されている。これにより、複数のビス３４は、ねじ部３４ｂが上部ケース２のボス部３６のねじ穴に３６ａに螺合して締め付けられると、頭部３４ａが下部ケース３を上部ケース２のボス部３６に押し当てて、上部ケース２と下部ケース３とを取り付けるように構成されている。
【００８６】
この場合、複数のビス穴３５それぞれは、図１４に示すように、下部ケース３の裏面とこの裏面に対して交差する下部ケース３の端面とに連通するストラップ孔３７を兼ねている。すなわち、このストラップ孔３７は、その内部に紐を通すことにより、ストラップが取り付けられるように構成されている。
【００８７】
また、複数のビス穴３５には、図１５および図１６に示すように、ブリッジ形状の脚部３８が着脱可能に取り付けられるように構成されている。すなわち、この脚部３８は、後述するハンドベルト４３が取り付けられるベルト取付部を兼ねるものであり、機器ケース１を卓上など載置面Ｔ上に配置させる際に、図１６に示すように、下部ケース３の上辺部側の光学収納部１０が載置面Ｔに載置された状態で、下部ケース３の下辺部側を支持することにより、機器ケース１を載置面Ｔ上に安定させた状態で配置させるように構成されている。
【００８８】
この場合、脚部３８は、図１４および図１５に示すように、下部ケース３のビス穴３５にそれぞれ着脱可能に取り付けられる一対の支持片４０と、これら一対の支持片４０に梁渡されて、下部ケース３の傾斜部１５ａにおけるグリップ部１５の長手方向と直交する短手方向（幅方向）の両側に傾斜部１５ａの頂点を跨ぐ梁部４１と、を備えている。
【００８９】
一対の支持片４０は、図１５および図１６に示すように、下部ケース３の裏面側からビス穴３５に差し込まれた際に、下部ケース３の裏面と交差する下部ケース３の端面側に位置するストラップ孔３７に係脱可能に係合するフック部４０ａを備えている。このフック部４０ａは、その下端部に係合突起４０ｂが設けられている。
【００９０】
これにより、支持片４０は、図１５および図１６に示すように、下部ケース３のビス穴３５に差し込まれる際に、係合突起４０ｂがビス穴３５の内面によって押されてフック部４０ａを撓ませる構造になっている。また、この支持片４０は、下部ケース３のビス穴３５に差し込まれた際に、フック部４０ａが弾性復帰して係合突起４０ｂを下部ケース３の裏面と交差する下部ケース３の端面側に位置するストラップ孔３７に係脱可能に係合させる構造になっている。
【００９１】
また、この支持片４０は、図１５および図１６に示すように、下部ケース３の裏面と交差する下部ケース３の端面側に位置するストラップ孔３７に工具を差し込んで、フック部４０ａの係合突起４０ｂを押圧して、フック部４０ａを撓ませると、係合突起４０ｂがビス穴３５内に押し込まれ、ビス穴３５から支持片４０が抜けるように構成されている。
【００９２】
梁部４１は、図１５および図１６に示すように、一対の支持片４０に梁渡されて、下部ケース３の傾斜部１５ａにおけるグリップ部１５の長手方向と直交する短手方向（幅方向）の両側に傾斜部１５ａの頂点を跨いでいることにより、一対の支持部４０を連結して卓上など載置面Ｔに載置されると共に、後述するハンドベルト４３が折り返されて取り付けられる構造になっている。
【００９３】
この梁部４１の両側には、図１５（ａ）および図１５（ｂ）に示すように、滑止め部４２がハンドベルト４３の長手方向と直交する短手方向の両側に位置して設けられている。この滑止め部４２は、ウレタンゴムやシリコーンゴムなどのゴム材料で形成され、載置面Ｔに対する滑り防ぐものである。この滑止め部４２は、リング状に形成され、半径方向の厚みがハンドベルト４３の厚みよりも厚く形成されている。
【００９４】
これにより、機器ケース１は、図１６および図１７に示すように、脚部３８が取り付けられた状態で、卓上などの載置面Ｔ上に配置された際に、光学収納部１０における第１面１０ａと第２面１０ｂとの境界に位置する境界部１０ｃ、つまり第２面１０ｂにおける集音孔１０ｆを含む領域である基準部を境にして第１面１０ａ側の端部である境界部１０ｃと脚部３８とが載置面Ｔに載置される。
【００９５】
このときには、第２面１０ｂの基準部が載置面Ｔに接触することがなく、第２面１０ｂにおける第１面１０ａと反対側の端部、つまり境界部１０ｃと反対側の端部が載置面Ｔから離れた状態で、光学収納部１０の第２面１０ｂと載置面Ｔとの間に隙間を持って機器ケース１が載置面Ｔ上に配置されるように構成されている。このため、この機器ケース１は、光学収納部１０の平坦領域である第２面１０ｂに設けられたマイクロホン用の集音孔１０ｆまたはスピーカ用の放音孔が載置面Ｔで塞がれない構造になっている。
【００９６】
また、この機器ケース１は、図１８に示すように、脚部３８が下部ケース３から取り外された状態で、載置面Ｔ上に配置された際に、光学収納部１０の第２面１０ｂにおける集音孔１０ｆを含む領域である基準部を境にして、境界部１０ｃと反対側に位置する第２面１０ｂの端部と下部ケース３の下辺部に位置する傾斜部１５ａの端部とが載置面Ｔに載置される。
【００９７】
このときには、第２面１０ｂの基準部が載置面Ｔに接触することがなく、第２面１０ｂにおける第１面１０ａ側の端部、つまり境界部１０ｃが載置面Ｔから離れた状態で、光学収納部１０の第２面１０ｂと載置面Ｔとの間に隙間を持って機器ケース１が載置面Ｔ上に配置されるように構成されている。このため、この機器ケース１は、光学収納部１０の平坦領域である第２面１０ｂに設けられたマイクロホン用の集音孔１０ｆまたはスピーカ用の放音孔が載置面Ｔで塞がれない構造になっている。
【００９８】
さらに、この機器ケース１は、脚部３８が下部ケース３に着脱可能に取り付けられていることにより、下部ケース３から脚部３８を取り外すことができ、この状態でユーザが一方の手でグリップ部１５を握った際に、脚部３８が邪魔にならないため、ユーザが一方の手でグリップ部１５を良好に握れるように構成されている。
【００９９】
ところで、この機器ケース１には、図２、図３および図１６に示すように、ハンドベルト４３が取り付けられるように構成されている。このハンドベルト４３は、帯状のものであり、長手方向と直交する短手方向の幅が脚部３８の滑止め部４２の間隔と同じ長さで形成されている。このハンドベルト４３は、一端部に取付金具４４が取り付けられ、他端部が脚部３８の梁部４１で折り返されて面状ファスナなどの係止部材４５によって連結されるように構成されている。
【０１００】
この場合、取付金具４４は、図２および図３に示すように、下部ケース３の光学収納部１０におけるえぐれ部１７側の傾斜面に設けられた金具取付部４６に着脱可能に取り付けられるように構成されている。これにより、ハンドベルト４３は、一端部の取付金具４４を下部ケース３の金具取付部４６に取り付け、他端部を下部ケース３の脚部３８で折り返して係止部材４５によって一端部側に連結させることにより、下部ケース３の光学収納部１０と脚部３８との間に張り渡されるように構成されている。
【０１０１】
次に、このような携帯端末の作用について説明する。
まず、下部ケース３の両側に側面トリガーキー１１を取り付ける場合について説明する。この場合には、第１の工程で下部ケース３の釦挿入孔２６に挿入される釦部２２に取り付けられた弾性部材２３を下部ケース３内に釦部２２と共に配置する。
【０１０２】
すなわち、この第１の工程では、弾性部材２３の膨出部２３ａに釦部２２の複数の押圧部２２ｂを食い込ませて、釦部２２の周縁部に弾性部材２３を接着によって取り付ける。この状態で、下部ケース３の内部側から釦部２２を下部ケース３の釦挿入孔２６に挿入させて、弾性部材２３の周辺部を下部ケース３の内面に配置させる。
【０１０３】
そして、第２の工程で、弾性部材２３の両側に位置する下部ケース３の内面に設けられた一対のガイド部２５によって、接点部材２４をガイドして弾性部材２３に徐々に接近させて重ね合わせる。すなわち、この第２の工程では、一対のガイド部２５の各ガイドレール３１によって接点部材２４の一対のスライド部３２を垂直方向にガイドして、ガイドレール３１に対して傾いた接点本体部２７の電極面をこれに対向してガイドレール３１に対して傾いた弾性部材２３の対向面に重ね合わせる。
【０１０４】
このときには、接点本体部２７の電極面に対向する弾性部材２３の対向面がガイドレール３１に対して約４°の抜き勾配で傾斜しており、これと同様に接点本体部２７の電極面も傾斜している。このため、ガイドレール３１が接点部材２４のスライド部３２をガイドする際におけるガイド開始時には、図１０（ａ）および図１０（ｄ）の原理図に示すように、接点本体部２７の電極面が弾性部材２３の対向面に対向して面方向にずれた状態で、弾性部材２３の対向面と接点本体部２７の電極面との間にクリアランスａをもって配置される。
【０１０５】
この状態で、ガイドレール３１がスライド部３２をガイドしてスライドさせた際におけるスライド途中では、図１０（ｂ）および図１０（ｄ）の原理図に示すように、接点本体部２７が弾性部材２３に徐々に接近する方向に移動して、弾性部材２３の対向面と接点本体部２７の電極面との間のクリアランスａが徐々に狭くなる。
【０１０６】
そして、ガイドレール３１がスライド部３２をガイドしてスライドさせて接点部材２４が下部ケース３の底部に到達した際におけるスライド終了時には、図１０（ｃ）および図１０（ｄ）の原理図に示すように、弾性部材２３の対向面と接点本体部２７の電極面とが対面して重なり合った状態で押し当てられて圧接する。
【０１０７】
これにより、接点部材２４を弾性部材２３に重ね合わせる際に、接点部材２４と弾性部材２３とが相互に擦れて傷付かないようにすることができる。このため、接点部材２４の接点電極２７ａと弾性部材２３の可動接点２３ｂとが相互に擦れることがなく、接点部材２４の接点電極２７ａが傷付いたり、弾性部材２３の可動接点２３ｂが傷付いたりすることがないので、接点不良を起こすことがない。
【０１０８】
この状態では、接点部材２４の接点本体部２７が弾性部材２３に押し当てられて圧接された際に、接点本体部２７の一対の接点電極２７ａが弾性部材２３の複数の可動接点２３ｂに対応した状態で、接点本体部２７のカバー部２７ｂが弾性部材２３の弾力によって下部ケース３の内面に押し当てられて固定される。
【０１０９】
また、機器ケース１の電池収納部１３に充電池（図示せず）を収納する場合には、下部ケース３の電池収納部１３を覆っている電池蓋１２を取り外して、電池収納部１３内に充電池を収納する。そして、電池収納部１３の開口部１３ａを電池蓋１２で塞ぐ。このときには、電池蓋１２の支点突起部１２ａを電池収納部１３の下辺部に設けられた係止部３ｂに係止させ、この支点突起部１２ａを中心に電池蓋１２を回転させて電池収納部１３の開口部１３ａを電池蓋１２で塞ぐ。
【０１１０】
このときには、電池蓋１２の内枠３３ａの外面が電池収納部１３の開口部１３ａの外枠１３ｂの内面に対面した状態で、電池蓋１２の内枠３３ａに設けられたパッキン部３３の円弧状に突出した部分が電池収納部１３の開口部１３ａの外枠１３ｂの内面に圧接する。これにより、電池蓋１２のパッキン部３３によって電池収納部１３の開口部１３ａの防水が図れる。
【０１１１】
すなわち、パッキン部３３が電池蓋１２の支点突起部１２ａに近づくにつれて電池蓋１２の内部側に向けて傾斜していることにより、支点突起部１２ａを中心に電池蓋１２を回転させて電池収納部１３の開口部１３ａを塞ぐ際には、電池蓋１２が回転するに従い、電池収納部１３の開口部１３ａの周囲に設けられた外枠１３ｂの内面に対するパッキンゴム３３ｂの密接部分が増加するにつれて密接抵抗も徐々に増加し、電池蓋１２の操作荷重が徐々に重くなる。これにより、電池蓋１２の開閉操作が向上する。
【０１１２】
また、パッキン部３３は、電池蓋１２の支点突起部１２ａから離れた上辺部が、支点突起部１２ａから離れる方向に向けて緩やかに突出して湾曲する形状に形成されていることにより、支点突起部１２ａから離れる方向に位置するパッキン部３３がこれに対応する下部ケース３の開口部１３ａの外周に設けられた外枠１３ｂの内面にその湾曲に沿って順次圧接される。
【０１１３】
これにより、電池蓋１２の閉操作が良く、電池蓋１２の閉操作を向上させて、電池収納部１３の開口部１３ａが確実にかつ良好に密閉される。この状態で、電池蓋１２の上辺側の縁部を一対の取付レバー１４によって下部ケース３の裏面に係止させて電池蓋１２を下部ケース３に取り付ける。これにより、電池蓋１２と下部ケース３と上部ケース２とによって、機器ケース１の幅狭部１ｂにグリップ部１５が形成される。
【０１１４】
そして、機器ケース１にハンドベルト４３を取り付ける。この場合には、予め、機器ケース１のグリップ部１５にベルト取付部を兼ねる脚部３８を取り付ける。このときには、グリップ部１５における下部ケース３の下辺部の傾斜部１５ａに設けられたストラップ孔３７を兼ねる複数のビス穴３５に脚部３８の一対の支持片４０を差し込む。
【０１１５】
すると、支持片４０に設けられたフック部４０ａの係合突起４０ｂがビス穴３５の内面によって押されてフック部４０ａが撓む。そして、支持片４０が下部ケース３のビス穴３５に差し込まれた際には、フック部４０ａが弾性復帰して係合突起４０ｂを下部ケース３の裏面と交差する下部ケース３の端面側に位置するストラップ孔３７に係合させる。これにより、脚部３８がビス穴３５に着脱可能に取り付けられる。
【０１１６】
この状態で、ハンドベルト４３の一端部に取り付けられた取付金具４４を下部ケース３の金具取付部４６に取り付け、ハンドベルト４３の他端部を下部ケース３に取り付けられた脚部３８と下部ケース３との間に挿入させて、脚部３８で折り返し、この折り返されたハンドベルト４３の他端部をハンドベルト４３の一端部側に重ね合わせる。すると、ハンドベルト４３の一端部側と他端部側とが係止部材４５によって連結される。これにより、ハンドベルト４３が下部ケース３の光学収納部１０と脚部３８との間に張り渡される。
【０１１７】
次に、このような携帯端末を使用する場合について説明する。
この場合には、ユーザが一方の手を機器ケース１とハンドベルト４３との間に差し込み、この差し込んだユーザの一方の手でグリップ部１５を握って機器ケース１を保持する。すなわち、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが一方の手でグリップ部１５を把握する。
【０１１８】
このときには、母指Ｆ１が機器ケース１の表面のキー操作部５上に配置され、ユーザが把握する手の示指Ｆ２と中指Ｆ３との間に膨らみを持たせる形状の指掛突起部１６の頭頂部１６ａが配置され、この状態で示指Ｆ２の腹が機器ケース１の裏面側に位置する電池蓋１２の指掛突起部１６における第１傾斜面である第１の指掛領域１８に押し当てられ、他の指Ｆ３〜Ｆ５の各腹が指掛突起部１６の第２の指掛領域１９上に配置される。
【０１１９】
この状態では、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の示指Ｆ２の腹を電池蓋１２の指掛突起部１６における第１の指掛領域１８の傾斜面に押し当て、この状態で第１の指掛領域１８を機器ケース１の下辺部側つまりユーザが把握する手側に向けて、その把握手の示指Ｆ２を引き寄せる。
【０１２０】
この場合、示指Ｆ２の腹が電池蓋１２の指掛突起部１６における第１の指掛領域１８の傾斜面に押し当てられ、機器ケース１の下辺部側つまりユーザが把握する手側に向けて引き寄せられると、示指Ｆ２が第１の指掛領域１８にその湾曲に沿って自然な状態で屈曲して押し当てられる。このときには、ユーザが把握する手の示指Ｆ２が第１の指掛領域１８と下面トリガーキー２０の釦部２０ａとの間に配置される。この状態では、下面トリガーキー２０の釦部２０ａがユーザが把握する手の示指Ｆ２によって操作されることはない。
【０１２１】
また、このときには、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の他の指Ｆ３〜Ｆ５の各腹が指掛突起部１６の第２の指掛領域１９上に押し当てられる。この状態では、指Ｆ３〜Ｆ５が第２の指掛領域１９の湾曲に沿って自然に曲がった状態で並んで配置される。
【０１２２】
これにより、ユーザが把握する手の示指Ｆ２と中指Ｆ３との間に、膨らみを持たせる形状の指掛突起部１６の頭頂部１６ａが配置された状態で、中指Ｆ３〜小指Ｆ５が指掛突起部１６の第２の指掛領域１９を包み込むように自然に曲がって状態で第２の指掛領域１９に並んで配置される。このため、指Ｆ３〜Ｆ５が第２の指掛領域１９の湾曲面に沿って安定した状態で良好に配置される。これによって、ユーザが片手で機器ケース１のグリップ部１５を確実にかつ良好に把握することができる。
【０１２３】
このように、ユーザが機器ケース１のグリップ部１５を握った際には、グリップ部１５が機器ケース１の幅狭部１ｂに設けられ、かつグリップ部１５の両側部から裏面側に向けて緩やかに湾曲して突出する湾曲形状に形成されていることにより、ユーザが把握する手で機器ケース１のグリップ部１５を確実にかつ良好に握ることができると共に、ユーザが把握する手をグリップ部１５にフィットさせることができる。
【０１２４】
また、ユーザが機器ケース１のグリップ部１５を片手で握る際には、グリップ部１５が機器ケース１の横方向における中心位置を軸にして左右対称な形状に形成されていることにより、ユーザが右手でも、また左手でも、機器ケース１のグリップ部１５を確実にかつ良好に握ることができる。この場合にも、グリップ部１５の下面側が緩やかに湾曲して突出する湾曲形状に形成されていることにより、機器ケース１のグリップ部１５を片手で握った際に、ユーザの把握手がグリップ部１５にフィットする。
【０１２５】
このようにユーザが機器ケース１のグリップ部１５を握った際には、母指Ｆ１が表示部４を遮ることなくキー操作部５上に配置されるので、表示部４に表示された情報を見ながら、母指Ｆ１をキー操作部５上において自由に移動させて、キー操作部５を良好にキー操作することができ、また示指Ｆ２を下面トリガーキー２０に移動させて下面トリガーキー２０をキー操作することができると共に、示指Ｆ２を機器ケース１の側面に移動させて、側面トリガーキー１１をキー操作することができる。
【０１２６】
この場合、ユーザが機器ケース１のグリップ部１５を握った状態で、上面トリガーキー５ａ、下面トリガーキー２０、側面トリガーキー１１のいずれかを操作してオン動作させると、機器ケース１の幅広部１ａの裏面に設けられた光学読取部６が駆動されて、レーザ読取部７がレーザ光線を光学収納部１０の第１面１０ａに設けられた第１窓部１０ｄから機器ケース１の外部に出射させ、そのレーザ光線の反射光を受光することにより、物品のバーコードなどを読み取る。
【０１２７】
また、このとき、モードが撮影モードの場合には、光学読取部６の撮像部８が光学収納部１０の第２面１０ｂに設けられた第２窓部１０ｅを通してレーザ読取部で読み取る物品の画像を撮影する。このときには、上部ケース２に設けられた表示部４の表示面と光学収納部１０の第２面１０ｂとがほぼ平行に設けられていることにより、撮像部８で画像を撮影する際に、撮影部８を撮影する物品に向けた状態で、表示部４に物品の画像が表示され、この表示された画像をユーザが見ながら良好に撮影することができる。
【０１２８】
この場合、ユーザがグリップ部１５を把握した手の示指Ｆ２によって下面トリガーキー２０の釦部２０ａを押した場合には、釦部２０ａが弾性シート２０ｂの膨出部を弾性変形させて、弾性シート２０ｂの可動接点をスイッチ基板２０ｃの固定接点に接触させることにより、スイッチ信号を出力する
【０１２９】
また、ユーザがグリップ部１５を把握した手の示指Ｆ２によって側面トリガーキー１１を操作する場合には、側面トリガーキー１１が機器ケース１の幅広部１ａの両側部にそれぞれ所定の傾斜角度で傾斜して設けられていることにより、示指Ｆ２によって側面トリガーキー１１を良好に操作することができる。
【０１３０】
すなわち、側面トリガーキー１１の釦部２２は、機器ケース１の表面を基準面として、この基準面に対する機器ケース１の厚み方向の距離が、グリップ部１５側から離れるに従って次第に長くなるように所定の傾斜角度で傾斜して設けられている。このため、示指Ｆ２を第１の指掛領域１８から離して伸ばし、この示指Ｆ２で側面トリガーキー１１の釦部２２を良好に操作することができる。
【０１３１】
すなわち、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１５を第１の握り方で握り、ユーザの示指Ｆ２を第１の指掛領域１８に押し当てた状態で、この押し当てた示指Ｆ２を第１の指掛領域１８から離して伸ばした際に、示指Ｆ２を側面トリガーキー１１の釦部２２に確実にかつ良好に配置させることができる。
【０１３２】
この状態で、側面トリガーキー１１の釦部２２を示指Ｆ２で押して操作すると、釦部２２の複数の押圧部２２ｂが弾性部材２３の膨出部２３ａを押圧して弾性変形させ、この弾性変形した膨出部２３ａ内の複数の可動接点２３ｂが接点部材２４の接点本体部２７に設けられた櫛歯状の一対の接点電極２７ａに接触して一対の接点電極２７ａを導通させることにより、スイッチ信号を回路基板３０に出力する。
【０１３３】
次に、この携帯端末を卓上などの載置面Ｔに配置させて使用する場合について説明する。
この場合には、まず、ハンドベルト４３が取り付けられた機器ケース１を卓上などの載置面Ｔに配置させる。このときには、図１６に示すように、上部ケース２の表示部４およびキー操作部５を上に向けて下部ケース３を載置面Ｔに配置させる。
【０１３４】
すると、下部ケース３の一端側に設けられた光学収納部１０の第２面１０ｂと下部ケース３の他端部側に取り付けられた脚部３８とが載置面Ｔに載置される。この状態では、機器ケース１にハンドベルト４３が取り付けられていても、ハンドベルト４３によって妨げられることなく、機器ケース１が載置面Ｔ上に配置される。
【０１３５】
すなわち、ハンドベルト４３は、一端部の取付金具４４が下部ケース３の光学収納部１０のえぐれ部１７側の傾斜面に設けられた金具取付部４６に取り付けられ、ハンドベルト４３の他端部が脚部３８の滑止め部４２の間に配置されて、滑止め部４２の外周面がハンドベルト４３の表面から突出しているので、脚部３８の一対の滑止め部４２が載置面Ｔに接触して載置され、光学収納部１０の第２面１０ｂにおける一端側の境界部１０ｃが載置面Ｔに接触して載置される。
【０１３６】
このため、機器ケース１がハンドベルト４３によって妨げられることなく、載置面Ｔ上に配置される。この場合、機器ケース１に脚部３８を取り付けた状態で、図１７に示すように、ハンドベルト４３のみを機器ケース１から取り外した場合にも、上述した場合と同様に配置される。
【０１３７】
これにより、機器ケース１が載置面Ｔ上に安定した状態で良好に配置される。すなわち、機器ケース１のグリップ部１５をユーザが手で握り易い湾曲した形状に形成しても、グリップ部１５に取り付けられた脚部３８によって、機器ケース１が載置面Ｔ上で転がらないように、機器ケース１を載置面Ｔ上に安定した状態で良好に配置させることができる。このため、この状態では、表示部４に表示された情報を見ながらキー操作部５を良好に操作することができる。
【０１３８】
この場合、脚部３８は、下部ケース３にその長手方向と直交する短手方向（幅方向）の両側に設けられた複数のビス穴３５に着脱可能に取り付けられる一対の支持片４０と、これら一対の支持片４０に梁渡されて下部ケース３の長手方向と直交する短手方向（幅方向）において傾斜部１５ａの頂点を跨ぐ梁部４１と、を備え、この脚部３８の梁部４１が載置面Ｔに載置されるので、機器ケース１を載置面Ｔ上に安定した状態で確実にかつ良好に配置させることができる。
【０１３９】
また、この状態では、下部ケース３に脚部３８が取り付けられていることにより、光学収納部１０の境界部１０ｃと脚部３８の滑止め部４２とが載置面Ｔに接触して配置されている。このときには、平坦領域の第２面１０ｂの基準部が載置面Ｔに接触することがなく、光学収納部１０の第２面１０ｂにおける第１面１０ａと反対側の端部つまり境界部１０ｃと反対側の端部が載置面Ｔから離れた状態で、機器ケース１が載置面Ｔ上に配置される。これにより、機器ケース１の第２面１０ｂの基準部と載置面Ｔとの間に隙間が設けられる。
【０１４０】
このため、光学収納部１０の平坦領域である第２面１０ｂの基準部に設けられたマイクロホン用の集音孔１０ｆが載置面Ｔによって塞がれることがないので、マイクロホンで音を良好に取り込むことができる。また、マイクロホン用の集音孔１０ｆに代えてスピーカ用の放音孔が設けられている場合にも、放音孔が載置面Ｔによって塞がれることがないので、スピーカの音を良好に放音させることができる。
【０１４１】
一方、ハンドベルト４３と脚部３８とを機器ケース１から取り外して、機器ケース１を載置面Ｔ上に配置させた際には、図１８に示すように、平坦領域である第２面１０ｂの基準部が載置面Ｔに接触することがなく、光学収納部１０の第２面１０ｂにおける境界部１０ｃと反対側の端部と下部ケース３の下辺側の傾斜部１５ａ側の端部とが載置面Ｔに載置される。
【０１４２】
このときには、光学収納部１０の平坦領域である第２面１０ｂにおいて基準部を境にして、第１面１０ａ側に位置する第２面１０ｂの端部、つまり境界部１０ｃが載置面Ｔから離れた状態で、機器ケース１が載置面Ｔ上に配置される。これにより、機器ケース１の第２面１０ｂの基準部と載置面Ｔとの間に隙間が設けられる。
【０１４３】
このため、この状態でも、光学収納部１０の平坦領域である第２面１０ｂの基準部に設けられたマイクロホン用の集音孔１０ｆが載置面Ｔによって塞がれることがないので、マイクロホンで音を良好に取り込むことができる。また、マイクロホン用の集音孔１０ｆに代えてスピーカ用の放音孔が設けられている場合にも、放音孔が載置面Ｔによって塞がれることがないので、スピーカの音を良好に放音させることができる。
【０１４４】
すなわち、この機器ケース１では、脚部３８を取り付けて光学収納部１０と脚部３８とを載置面Ｔに載置した場合と、脚部３８を機器ケース１から取り外して光学収納部１０と機器ケース１の他端部とを載置面Ｔに載置した場合とで、光学収納部１０の第２面における基準部を境にして、載置面Ｔに対する第２面１０ｂの接触箇所が異なる。
【０１４５】
つまり、この機器ケース１では、脚部３８を取り付けたときと、脚部３８を機器ケース１から取り外したときとで、載置面Ｔに対する第２面１０ｂの傾きが、基準部を境にして逆向きになるだけで、機器ケース１の第２面１０ｂと載置面Ｔとの間に隙間を確実にかつ良好に設けることができる。このため、脚部３８を取り付けても、また取り外しても、マイクロホンで音を良好に取り込むことができると共に、スピーカの音を良好に放音させることができる。
【０１４６】
このように、この携帯端末の脚部３８によれば、ブリッジ形状をなして機器ケース１に着脱可能に取り付けられ、機器ケース１の所定の面を載置面に向けて載置させた際に、載置面Ｔに接触して機器ケース１を支持することにより、脚部３８を機器ケース１から取り外したり、機器ケース１に取り付けたりすることができ、機器ケース１をユーザが手に持って使用する際に、脚部３８を機器ケース１から取り外すことにより、脚部３８が邪魔にならずに、機器ケース１を良好に握ることができる。
【０１４７】
また、この携帯端末の脚部３８によれば、ブリッジ形状をなして機器ケース１の一端部側に着脱可能に取り付けられ、機器ケース１の他端部側が載置面Ｔに載置された際に、載置面Ｔに接触して機器ケース１の一端部側を支持することにより、脚部３８が機器ケース１に対して着脱可能であるから、脚部３８を機器ケース１から取り外したり、機器ケース１に取り付けたりすることができる。
【０１４８】
すなわち、この携帯端末の脚部３８では、脚部３８を機器ケース１から取り外すことができるので、機器ケース１をユーザが手に持って使用する際に、脚部３８が邪魔にならずに、機器ケース１を良好に握ることができ、また機器ケース１に脚部３８を取り付けた際に、機器ケース１の形状に係わらず、載置面Ｔ上に機器ケース１を安定させた状態で良好に配置させることができる。
【０１４９】
この場合、この携帯端末の脚部３８は、機器ケース１における長手方向と直交する短手方向の両側に着脱可能に取り付けられる一対の支持片４０と、これら一対の支持片４０に梁渡されて、機器ケース１が載置面Ｔに載置された際に、載置面Ｔに接触する梁部４１と、を備えていることにより、一対の支持片４０に梁渡された梁部４１が機器ケース１の長手方向と直交する短手方向の中心を跨いた状態で、脚部３８を機器ケース１に取り付けることができ、これにより載置面Ｔ上に機器ケース１を安定させた状態で確実にかつ良好に配置させることができる。
【０１５０】
また、この携帯端末の脚部３８によれば、一対の支持片４０に機器ケース１に対して係脱可能に係合するフック部４０ａが設けられていることにより、機器ケース１に脚部３８を簡単に取り付けることができると共に、機器ケース１から脚部３８を容易に取り外すことができる。
【０１５１】
また、梁部４１には、載置面Ｔに対する滑りを防ぐ滑止め部４２が設けられていることにより、載置面Ｔ上に機器ケース１を配置した際に、滑止め部４２によって脚部３８が載置面Ｔ上で滑らないようにすることができ、これによっても載置面Ｔ上に機器ケース１を安定させた状態で配置させることができる。
【０１５２】
また、この携帯端末の脚部３８の取付構造によれば、機器ケース１と、ブリッジ形状をなして機器ケース１に着脱可能に取り付けられ、機器ケース１の所定の面を載置面に向けて載置させた際に、載置面Ｔに接触して機器ケース１を支持する脚部３８と、を備えていることにより、脚部３８を機器ケース１から取り外したり、機器ケース１に取り付けたりすることができ、機器ケース１をユーザが手に持って使用する際に、脚部３８を機器ケース１から取り外すことにより、脚部３８が邪魔にならずに、機器ケース１を良好に握ることができる。
【０１５３】
また、この携帯端末の脚部３８の取付構造によれば、機器ケース１と、ブリッジ形状をなして機器ケース１の一端部側に着脱可能に取り付けられ、機器ケース１の他端部側が載置面Ｔに載置された際に、載置面Ｔに接触して機器ケース１の一端部側を支持する脚部３８と、を備えていることにより、脚部３８が機器ケース１に対して着脱可能であるから、脚部３８を機器ケース１から取り外したり、機器ケース１に取り付けたりすることができる。
【０１５４】
すなわち、この携帯端末の脚部３８では、脚部３８を機器ケース１から取り外すことができるので、機器ケース１をユーザが手に持って使用する際に、脚部３８が邪魔にならずに、機器ケース１を良好に握ることができ、また機器ケース１に脚部３８を取り付けた際に、機器ケース１の形状に係わらず、載置面Ｔ上に機器ケース１を安定させた状態で良好に配置させることができる。
【０１５５】
この場合にも、脚部３８は、機器ケース１における長手方向と直交する短手方向の両側に着脱可能に取り付けられる一対の支持片４０と、これら一対の支持片４０に梁渡されて、機器ケース１が載置面Ｔに載置された際に、載置面Ｔに接触する梁部４１と、を備えていることにより、一対の支持片４０に梁渡された梁部４１が機器ケース１の長手方向と直交する短手方向の中心を跨いた状態で、脚部３８を機器ケース１に取り付けることができ、これにより載置面Ｔ上に機器ケース１を安定させた状態で確実にかつ良好に配置させることができる。
【０１５６】
また、機器ケース１は、ユーザが一方の手で把握可能なグリップ部１５を備え、グリップ部１５の端部の傾斜部１５ａに脚部３８がグリップ部１５の頂上を跨いで着脱可能に取り付けられることにより、機器ケース１に着脱可能に取り付けられた脚部３８を取り外した際に、脚部３８が邪魔にならず、ユーザが一方の手でグリップ部１５を良好に握ることができる。
【０１５７】
また、機器ケース１では、グリップ部１５をユーザが手で握り易い湾曲した形状に形成しても、グリップ部１５に取り付けられた脚部３８によって、機器ケース１が載置面Ｔ上で転がらないように、機器ケース１を載置面Ｔ上に安定した状態で良好に配置させることができる。このため、機器ケース１を載置面Ｔ上に配置させた状態でも、表示部４に表示された情報を見ながらキー操作部５を良好に操作することができる。
【０１５８】
この場合、機器ケース１は、上部ケース２と下部ケース３とを備え、上部ケース２と下部ケース３とが複数のビス３４によって取り付けられる際の複数のビス穴３５に脚部３８が着脱可能に取り付けられることにより、機器ケース１に脚部３８を取り付けるための専用の取付孔部を設ける必要がなく、ビス３４のビス穴３５を兼用することができるので、構造が簡単で、低コスト化を図ることができる。
【０１５９】
また、ビス穴３５は、脚部３８が配置される下部ケース３の一面である裏面と、この裏面に対して交差する下部ケース３の他面である端面とに、連通するストラップ孔３７を兼ねていることにより、機器ケース１にストラップ専用の取付孔を設ける必要がなく、ビス３４のビス穴３５をストラップ孔３７として兼用することができるので、これによっても構造が簡単で、更なる低コスト化を図ることができる。
【０１６０】
また、脚部３８は、支持片４０が下部ケース３の裏面側からビス穴３５に差し込まれた際に、下部ケース３の裏面と交差する下部ケース３の端面側に位置するストラップ孔３７に係脱可能に係合するフック部４０ａを備えていることにより、下部ケース３に脚部３８を簡単に取り付けることができると共に、下部ケース３から脚部３８を容易に取り外すことができる。
【０１６１】
すなわち、フック部４０ａは、その下端部に係合突起４０ｂが設けられていることにより、支持片４０が下部ケース３のビス穴３５に差し込まれる際に、係合突起４０ｂがビス穴３５の内面によって押されてフック部４０ａを撓ませ、支持片４０が下部ケース３のビス穴３５に差し込まれた際に、フック部４０ａが弾性復帰して係合突起４０ｂを下部ケース３の裏面と交差する下部ケース３の端面側に位置するストラップ孔３７に係脱可能に係合させることができるので、下部ケース３に脚部３８を簡単に取り付けることができる
【０１６２】
また、このフック部４０ａは、下部ケース３の裏面と交差する下部ケース３の端面側に位置するストラップ孔３７に工具を差し込んで、フック部４０ａの係合突起４０ｂを押圧して、フック部４０ａを撓ませると、係合突起４０ｂがビス穴３５内に押し込まれて、ビス穴３５から支持片４０を抜き出すことができるので、下部ケース３から脚部３８を容易に取り外すことができる。
【０１６３】
また、この携帯端末における脚部３８の取付構造では、脚部３８がハンドベルト４３のベルト取付部を兼ねていることにより、ハンドベルト４３を機器ケース１に取り付けて使用する際に、ハンドベルト４３の一端部の取付金具４４を下部ケース３の金具取付部４６に取り付け、ハンドベルト４３の他端部を脚部３８に取り付けることができるので、ハンドベルト４３を取り付けるための専用のベルト取付部を必要としないため、部品点数の削減を図ることができ、これによっても低コスト化を図ることができる。
【０１６４】
さらに、この携帯端末における脚部３８の取付構造では、脚部３８の滑止め部４２がハンドベルト４３の長手方向と直交する短手方向の両側に配置されていることにより、ハンドベルト４３を滑止め部４２間に配置させた脚部３８に取り付けることができ、ハンドベルト４３を脚部３８に取り付けた状態で、機器ケース１を載置面Ｔ上に配置させた際に、脚部３８の滑止め部４２を載置面Ｔに接触させることができ、これによって脚部３８が載置面Ｔ上で滑らないようにすることができる。
【０１６５】
なお、上述した実施形態では、脚部３８の梁部４１に滑止め部４２をハンドベルト４３の点手方向の両側に位置させて設けた場合について述べたが、この発明は、これに限らず、例えば図１９（ａ）および図１９（ｂ）に示す変形例のように、脚部３８の梁部４１全体に滑止め部５０を設けた構造であっても良い。このように構成すれば、滑止め部５０が載置面Ｔに接触する面積を大きくすることができるので、より一層、脚部３８が載置面Ｔ上で滑り難くすることができる。
【０１６６】
また、上述した実施形態では、側面トリガーキー１１のスライド部３２がガイドレール３１を挟んだ状態でガイドレール３１に沿って垂直方向にスライドする場合について述べたが、この発明はこれに限らず、例えば、下部ケース３に設けられたガイドレールが接点部材２４に設けられたスライド部を挟んだ状態で垂直方向にガイドする構造であっても良い。
【０１６７】
また、上述した実施形態では、側面トリガーキー１１の接点部材２４の電極面とこれに対向する弾性部材２３の対向面とを下部ケース３に対して傾けて、かつ接点部材２４のスライド部３２をガイドするガイドレール３１を下部ケース３に垂直に設けた場合について述べたが、この発明はこれに限らず、例えば接点部材２４の電極面と弾性部材２３の対向面とを下部ケース３に垂直に設け、接点部材２４のスライド部３２をガイドするガイドレール３１を下部ケース３に傾けた構造であっても良い。
【０１６８】
さらに、上述した実施形態では、機器ケース１の電池収納部１３の開口部１３ａとこの開口部１３ａを塞ぐ電池蓋１２との防水を図る場合について述べたが、この発明はこれに限らず、例えば機器ケース１の上部ケース２と下部ケース３との防水を図る構造にも適用することができ、これにより防水ケースとして用いることができる。
【０１６９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１７０】
（付記）
請求項１に記載の発明は、ブリッジ形状をなしてケースに着脱可能に取り付けられ、前記ケースの所定の面を載置面に向けて載置させた際に、前記載置面に接触して前記ケースを支持することを特徴とする脚部である。
【０１７１】
請求項２に記載の発明は、請求項１に記載の脚部が、前記ケースの一端部側に着脱可能に取り付けられ、前記ケースの他端部側が載置面に載置された際に、前記載置面に接触して前記ケースの前記一端部側を支持することを特徴とする脚部である。
【０１７２】
請求項３に記載の発明は、請求項１または請求項２に記載の脚部が、前記ケースにおける長手方向と直交する短手方向の両側に着脱可能に取り付けられる一対の支持片と、前記一対の支持片に梁渡されて、前記ケースが前記載置面に載置された際に、前記載置面に接触する梁部と、を備えていることを特徴とする脚部である。
【０１７３】
請求項４に記載の発明は、請求項３に記載の脚部において、前記一対の支持片には、前記ケースに対して係脱可能に係合するフック部が設けられていることを特徴とする脚部である。
【０１７４】
請求項５に記載の発明は、請求項３または請求項４に記載の脚部において、前記梁部には、前記載置面に対する滑りを防ぐ滑止め部が設けられていることを特徴とする脚部である。
【０１７５】
請求項６に記載の発明は、ケースと、ブリッジ形状をなして前記ケースに着脱可能に取り付けられ、前記ケースの所定の面を載置面に向けて載置させた際に、前記載置面に接触して前記ケースを支持する脚部と、を備えていることを特徴とする脚部の取付構造である。
【０１７６】
請求項７に記載の発明は、請求項６に記載の脚部の取付構造において、前記脚部は、前記ケースの一端部側に着脱可能に取り付けられ、前記ケースの他端部側が載置面に載置された際に、前記載置面に接触して前記ケースの前記一端部側を支持するを備えていることを特徴とする脚部の取付構造である。
【０１７７】
請求項８に記載の発明は、請求項７に記載の脚部の取付構造において、前記脚部は、前記ケースにおける長手方向と直交する短手方向の両側に着脱可能に取り付けられる一対の支持片と、前記一対の支持片に梁渡されて、前記ケースが前記載置面に載置された際に、前記載置面に接触する梁部と、を備えていることを特徴とする脚部の取付構造である。
【０１７８】
請求項９に記載の発明は、請求項８に記載の脚部の取付構造において、前記脚部の前記梁部には、前記載置面に対する滑りを防ぐ滑止め部が設けられていることを特徴とする脚部の取付構造である。
【０１７９】
請求項１０に記載の発明は、請求項６〜請求項９のいずれかに記載の脚部の取付構造において、前記ケースは、ユーザが一方の手で把握可能なグリップ部を備え、前記グリップ部の端部に前記脚部が前記グリップ部の頂上を跨いで着脱可能に取り付けられることを特徴とする脚部の取付構造である。
【０１８０】
請求項１１に記載の発明は、請求項６〜請求項１０のいずれかに記載の脚部の取付構造において、前記ケースは、第１ケースと第２ケースとを備え、前記第１ケースと前記第２ケースとが複数のビスによって取り付けられる際の複数のビス穴に前記脚部が着脱可能に取り付けられることを特徴とする脚部の取付構造である。
【０１８１】
請求項１２に記載の発明は、請求項１１に記載の脚部の取付構造において、前記ビス穴は、前記脚部が配置される前記ケースの一面と、前記一面に対して交差する前記ケースの他面とに、連通するストラップ孔を兼ねていることを特徴とする脚部の取付構造である。
【０１８２】
請求項１３に記載の発明は、請求項１２に記載の脚部の取付構造において、前記脚部の前記一対の支持片それぞれには、前記支持片が前記ケースの前記一面側から前記ビス穴に差し込まれた際に、前記ケースの前記一面と交差する前記ケースの前記他面側に位置する前記ストラップ孔に係脱可能に係合するフック部が設けられていることを特徴とする脚部の取付構造である。
【０１８３】
請求項１４に記載の発明は、請求項６〜請求項１３のいずれかに記載の脚部の取付構造において、前記脚部は、ハンドベルトが取り付けられるベルト取付部を兼ねていることを特徴とする脚部の取付構造である。
【０１８４】
請求項１５に記載の発明は、請求項１４に記載の脚部の取付構造において、前記滑止め部は、前記ハンドベルトの長手方向と直交する短手方向の両側に配置されていることを特徴とする脚部の取付構造である。
【０１８５】
請求項１６に記載の発明は、請求項６〜請求項１５のいずれかに記載された脚部の取付構造を備えていることを特徴とする携帯端末である。
【符号の説明】
【０１８６】
１  機器ケース
２  上部ケース
３  下部ケース
４  表示部
５  キー操作部
５ａ  上面トリガーキー
６  光学読取部
７  レーザ読取部
８  撮影部
１０  光学収納部
１０ａ  第１面
１０ｂ  第２面
１０ｃ  境界部
１０ｆ  集音孔
１１  側面トリガーキー
１２  電池蓋
１２ａ  支点突起部
１３  電池収納部
１３ａ  開口部
１３ｂ  外枠
１４  取付レバー
１５  グリップ部
１５ａ  傾斜部
１６  指掛突起部
１７  えぐれ部
１８  第１の指掛領域
１９  第２の指掛領域
２０  下面トリガーキー
２２  釦部
２３  弾性部材
２３ａ  膨出部
２３ｂ  可動接点
２４  接点部材
２５  ガイド部
２６  釦挿入孔
２７  接点本体部
２７ａ  接点電極
２８  端子配置部
２８ａ  端子電極
３０  回路基板
３１  ガイドレール
３２  スライド部
３３  パッキン部
３３ａ  内枠
３３ｂ  パッキンゴム
３４  ビス
３５  ビス穴
３６  ボス部
３７  ストラップ孔
３８  脚部
４０  支持片
４０ａ  フック部
４０ｂ  係合突起
４１  梁部
４２、５０  滑止め部
４３  ハンドベルト
４４  取付金具
４６  金具取付部
【図１】
2020077672.tif 000003
【図２】
2020077672.tif 000004
【図３】
2020077672.tif 000005
【図４】
2020077672.tif 000006
【図５】
2020077672.tif 000007
【図６】
2020077672.tif 000008
【図７】
2020077672.tif 000009
【図８】
2020077672.tif 000010
【図９】
2020077672.tif 000011
【図１０】
2020077672.tif 000012
【図１１】
2020077672.tif 000013
【図１２】
2020077672.tif 000014
【図１３】
2020077672.tif 000015
【図１４】
2020077672.tif 000016
【図１５】
2020077672.tif 000017
【図１６】
2020077672.tif 000018
【図１７】
2020077672.tif 000019
【図１８】
2020077672.tif 000020
【図１９】
2020077672.tif 000021